(57)【要約】【課題】股関節脱臼が生じた際の治療において、安全且つ確実に寛骨臼に対して大腿骨頭を牽引させることが可能な股関節安定化治療具を提供する。【解決手段】股関節固定器具１は、先細りの先端部６と縫合糸貫通用の孔２、３と縫合糸逃げ用の縫合糸受け入れ用溝４と治具用嵌合部５とを具備し、挿入治具スリーブ１４は股関節固定器具１の治具用嵌合部５と嵌合する固定器具用嵌合保持部１６と縫合糸逃げ用の縫合糸受け入れ用溝１５を備え、股関節固定器具１は押出ロッド１８を備えた解除治具プッシャー１７のハンドル操作にて骨盤腔内に押し出される。【選択図】図６
2015024077.tif 000002
【特許請求の範囲】
【請求項１】
寛骨臼側に大腿骨頭を牽引し、股関節を安定化するためのアンカー用の股関節固定器具であって、軸状の本体の、寛骨臼への挿入側の先端部を先細り形状とし、該軸状の本体の中間部に縫合糸を貫通させるための孔を形成し、該軸状の本体の外周部に軸方向に沿って、前記孔を貫通し該孔を支点として軸状の本体の後方に導かれる縫合糸を受け入れる縫合糸受け入れ用溝を設けたことを特徴とする股関節固定器具。
【請求項２】
股関節を安定化するためのアンカー用の股関節固定器具と、該固定器具を先端に保持して該固定器具の寛骨臼の通過に使用される挿入治具スリーブとを備えた治療具であって、前記股関節固定器具の軸状の本体の、寛骨臼への挿入側の先端を先細り形状とし、該軸状の本体の中間部に縫合糸を貫通させるための孔を形成し、該軸状の本体の外周部に軸方向に沿って、前記孔を貫通し該孔を支点として軸状の本体の後方に導かれる縫合糸を受け入れる縫合糸受け入れ用溝を設け、該軸状の本体の後部に該本体を前記挿入治具スリーブに結合させるための治具用嵌合部を設け、前記挿入治具スリーブの先端に前記股関節固定器具の治具用嵌合部を脱着可能に嵌合保持するための股関節固定器具用嵌合保持部を設けたことを特徴とする股関節安定化治療具。
【請求項３】
前記挿入治具スリーブの外周部に軸方向に沿って、縫合糸を受け入れる縫合糸受け入れ用溝を設けたことを特徴とする請求項2に記載の股関節安定化治療具。
【請求項４】
前記股関節固定器具が寛骨臼を通過した後、骨盤腔内で前記股関節固定器具を前記挿入治具スリーブから押し出すための解除治具プッシャーを具備したことを特徴とする請求項2又は請求項3に記載の股関節安定化治療具。
【請求項５】
前記股関節固定器具を押し出すための前記解除治具プッシャーは、前記挿入治具スリーブ内を摺動可能な押出用ロッドと該ロッドを操作するためのハンドルを備えていることを特徴とする請求項２乃至４の中のいずれか１つの請求項に記載の股関節安定化治療具。
【請求項６】
挿入治具スリーブの先端に脱着可能に嵌合させて該スリーブとともに寛骨臼に設けた孔を通過させ、通過後、前記スリーブから外されて骨盤腔内に配置され股関節を安定化させるアンカーとして使用される股関節固定器具であつて、軸状本体と、該本体の中間部に形成された縫合糸を貫通させるための孔と、前記軸状本体の後部に一体的に形成された該本体より小径な軸部からなる治具用嵌合部と、前記軸状本体の寛骨臼への挿入側に一体的に形成された先細り形状の先端部とを備えたことを特徴とする股関節固定器具。
【請求項７】
前記股関節固定器具の先端形状が円錐または多角錐であることを特徴とする請求項１又は請求項６に記載の股関節固定器具。
【請求項８】
股関節を安定化するためのアンカー用の股関節固定器具と、該固定器具を先端に保持して該固定器具の寛骨臼の通過に使用される挿入治具スリーブとを備えた治療具であって、前記股関節固定器具が、軸状本体と、該本体の中間部に形成された縫合糸を貫通させるための孔と、前記軸状本体の後部に一体的に形成された該本体より小径な軸部からなる治具用嵌合部と、前記軸状本体の寛骨臼への挿入側に一体的に形成された先細り形状の先端部とを備えたことを特徴とする股関節安定化治療具。
【請求項９】
前記股関節固定器具の外周面が、ハイドロキシアパタイトで被覆されていることを特徴とする請求項１又は請求項６に記載の股関節固定器具。
【発明の詳細な説明】
【技術分野】
【０００１】
本発明は、衝突・転倒・転落等による外傷性の股関節脱臼が生じた際に寛骨臼側に大腿骨頭を牽引し、股関節を安定化するために使用する股関節固定器具の構造及び該股関節固定器具を用いた股関節安定化治療具に関する。
【背景技術】
【０００２】
従来は、図８に示す如く、術者がステンレス製のワイヤーを折り曲げ製作した股関節固定器具ｃ２５を寛骨臼２２に設けた孔より腸骨２１の内側の骨盤腔内に配置することでアンカーとし、股関節固定器具ｃ２５部で折り返した縫合糸１９を寛骨臼２２から大腿骨頭２３と大転子２４までを貫通させた孔に通し、大転子の外側に配置したストッパー２０部で縫合糸１９を結紮することで、股関節の安定化を行っており、術者の手加工による股関節固定器具ｃ２５製作の煩わしさと股関節固定器具ｃ２５の強度・形状について、不安定要因が存在した。
【０００３】
さらに、このような形状の股関節固定器具ｃ２５では、股関節固定器具ｃ２５を寛骨臼２２に設けた孔より腸骨２１の内側の骨盤腔内に落とし込む際に引っ掛かりが生じ易く、効率的な脱臼整復手術を行えない可能性が有り、結果として患者への負担が増大していた。
【０００４】
また、特許文献１に記載の複数の股関節脱臼防止用スプリングを使用した整復方法は、骨盤腔内に設けたスプリング形状が複雑でスプリング性能劣化の可能性が有り、且つスプリングの骨盤腔内への留置も困難であり、弾性体ワイヤーの設置角度も制限されることで、術者の技量が求められる股関節の安定化方法であった。
【０００５】
これに対して、特許文献２に記載の股関節脱臼を強制する方法では、大掛かりな矯正用キットが必要となる上、創外固定にて股関節の安定化を行うため、脱臼整復手術後の矯正用キットの姿勢維持が難しく、矯正用キットの衛生管理を保つ必要も含め、術後管理に多大な時間を要していた。
【０００６】
従来の股関節の安定化方法に対し、安全で手術時間の短縮が可能、且つ強度確保が可能な股関節固定器具構造を使用した股関節の安定化方法が求められている。
【先行技術文献】
【特許文献】
【０００７】
【特許文献１】特開平７-８０００８公報
【特許文献２】特開２００３-１３５４７６公報
【発明の概要】
【発明が解決しようとする課題】
【０００８】
本発明は、股関節脱臼時に股関節の安定化を行う脱臼整復手術時において、股関節固定器具の強度確保と手術効率の向上が可能な股関節安定化治療具を実現することを目的とする。
【課題を解決するための手段】
【０００９】
上記目的を達成するため本発明は、寛骨臼側に大腿骨頭を牽引し、股関節を安定化するためのアンカー用の股関節固定器具であって、軸状の本体の、寛骨臼への挿入側の先端部を先細り形状とし、該軸状の本体の中間部に縫合糸を貫通させるための孔を形成し、該軸状の本体の外周部に軸方向に沿って、前記孔を貫通し該孔を支点として軸状の本体の後方に導かれる縫合糸を受け入れる縫合糸受け入れ用溝を設けたことを特徴とする。
【００１０】
また本発明は、股関節を安定化するためのアンカー用の股関節固定器具と、該固定器具を先端に保持して該固定器具の寛骨臼の通過に使用される挿入治具スリーブとを備えた治療具であって、前記股関節固定器具の軸状の本体の、寛骨臼への挿入側の先端を先細り形状とし、該軸状の本体の中間部に縫合糸を貫通させるための孔を形成し、該軸状の本体の外周部に軸方向に沿って、前記孔を貫通し該孔を支点として軸状の本体の後方に導かれる縫合糸を受け入れる縫合糸受け入れ用溝を設け、該軸状の本体の後部に該本体を前記挿入治具スリーブに結合させるための治具用嵌合部を設け、前記挿入治具スリーブの先端に前記股関節固定器具の治具用嵌合部を脱着可能に嵌合保持するための股関節固定器具用嵌合保持部を設けたことを特徴とする。
【００１１】
また本発明は、前記挿入治具スリーブの外周部に軸方向に沿って、縫合糸を受け入れる縫合糸受け入れ用溝を設けたことを特徴とする。
また本発明は、前記股関節固定器具が寛骨臼を通過した後、骨盤腔内で前記股関節固定器具を前記挿入治具スリーブから押し出すための解除治具プッシャーを具備したことを特徴とする。
また本発明は、前記股関節固定器具を押し出すための前記解除治具プッシャーは、前記挿入治具スリーブ内を摺動可能な押出用ロッドと該ロッドを操作するためのハンドルを備えていることを特徴とする。
また本発明は、挿入治具スリーブの先端に脱着可能に嵌合させて該スリーブとともに寛骨臼に設けた孔を通過させ、通過後、前記スリーブから外されて骨盤腔内に配置され股関節を安定化させるアンカーとして使用される股関節固定器具であつて、軸状本体と、該本体の中間部に形成された縫合糸を貫通させるための孔と、前記軸状本体の後部に一体的に形成された該本体より小径な軸部からなる治具用嵌合部と、前記軸状本体の寛骨臼への挿入側に一体的に形成された先細り形状の先端部とを備えたことを特徴とする。
【００１２】
また本発明は、前記股関節固定器具の先端形状が円錐または多角錐であることを特徴とする。
また本発明は、股関節を安定化するためのアンカー用の股関節固定器具と、該固定器具を先端に保持して該固定器具の寛骨臼の通過に使用される挿入治具スリーブとを備えた治療具であって、前記股関節固定器具が、軸状本体と、該本体の中間部に形成された縫合糸を貫通させるための孔と、前記軸状本体の後部に一体的に形成された該本体より小径な軸部からなる治具用嵌合部と、前記軸状本体の寛骨臼への挿入側に一体的に形成された先細り形状の先端部とを備えたことを特徴とする。
また本発明は、前記股関節固定器具の外周面が、ハイドロキシアパタイトで被覆されていることを特徴とするものである。
【発明の効果】
【００１３】
本発明の股関節固定器具は挿入治具スリーブを使用して寛骨臼孔へ容易に挿入可能で、挿入後、股関節固定器具を骨盤腔内で挿入治具スリーブから解除治具プッシャーにて押し出すことで、容易にスリーブとの嵌合を解除させることが可能となる。
また、本発明の股関節固定器具を骨盤腔内に留置後、股関節固定器具から縫合糸による安定した寛骨臼と大腿骨頭の牽引力を付与することができるため、短時間で確実な脱臼整復手術が行え、結果として患者への精神的、経済的負担が軽減できるという効果がある。
【図面の簡単な説明】
【００１４】
【図１】本発明の実施形態の第１例を示す、斜視図である。
【図２】本発明の実施形態の第２例を示す、斜視図である。
【図３】本発明の実施形態の第１例と治具構成を示す、斜視図である。
【図４】本発明の実施形態の第１例と治具との嵌合前を示す、斜視図である。
【図５】本発明の実施形態の第１例と治具との嵌合時を示す、斜視図である。
【図６】本発明の実施形態の第１例と治具との嵌合解除時を示す、斜視図である。
【図７】本発明の股関節固定器具の適用状態を示す、動物の背側からの図である。
【図８】従来例の股関節固定器具の適用状態を示す、動物の背側からの図である。
【発明を実施するための形態】
【００１５】
図１は、脱臼整復手術時に寛骨臼２２と大腿骨頭２３を牽引するために使用される股関節固定器具ａ１を示し、円柱状の軸状本体を有し、該軸状本体の寛骨臼２２の孔への挿入側の端部に円錐形の先端部６が一体的に形成され、前記軸状本体の他端側に挿入治具スリーブ１４の嵌合部１６に脱着可能に嵌合可能な軸状の嵌合部５が一体的に形成されている。
【００１６】
嵌合部５は、軸状本体より小径な軸部から成り、先端が円錐形状となっている。前記股関節固定器具１ａの表面の縫合糸１９が対接配置される部分には、縫合糸１９を股関節固定器具１ａの表面から引っ込めるための逃げ場所となる縫合糸受け入れ用溝４が形成されている。縫合糸受け入れ用溝４は、股関節固定器具１の長手方向に沿って１本又は、複数本、縫合糸１９の、固定器具１に沿った引き出し位置に応じて形成され、縫合糸を固定器具１の外周面の内側に収納することで縫合糸が固定器具１の表面から突出しないようにしている。前記股関節固定器具１の軸状本体には、複数の、縫合糸１９を貫通させるための孔２，３が形成され、該孔２，３を貫通する縫合糸１９は該孔２，３で折り返されて嵌合部５の方向に導かれる。この縫合糸１９の折り返し部は、股関節固定器具ａ１の円柱状の軸状本体の表面から突出しないように該軸状本体側の縫合糸１９の折り返し部と接する面に軸状本体の表面に対して段差が形成された構成となっている。
【００１７】
本実施形態では、前記先端部６を寛骨臼２２に形成した孔への挿入を円滑とするため円錐形としたが、先細り形状であれば特に円錐形でなくとも、多角錐形その他の形状とすることができる。股関節固定器具１の材質は、ステンレス、純チタン、チタン合金であることが好ましい。また、股関節固定器具１の外周面は、ハイドロキシアパタイトで被覆されている。図２は、股関節固定器具ｂ８の他の実施形態を示し、縫合糸１９を貫通させ、縫合糸１９を、股関節固定器具８の中間部で折り返し股関節固定器具８の中間部に連結させるための孔９を１つ設けたものである。
【００１８】
図中、１０は、股関節固定器具８の軸状の本体の外周部に軸方向に沿って穿設された縫合糸受け入れ用溝であり、軸状の本体に円周方向に１８０度の間隔を存して２本平行に形成されている。１１は嵌合部、１２は先端部である。
図３に示す、挿入治具スリーブ１４は、筒状の本体からなり、筒状本体の先端に、前記股関節固定器具１の嵌合部５を脱着可能に嵌合保持するための股関節固定器具用嵌合保持部１６が形成されている。前記スリーブ１４の筒状本体の外径と前記股関節固定器具１の軸状の本体の外径部は、ほぼ同一に形成されている。
【００１９】
スリーブ１４の筒状本体には、股関節固定器具１の縫合糸受け入れ用溝４に対応して、軸方向先端から後端に全長に亘って延びる、縫合糸１９をスリーブ１４の外周面から引っ込めるための逃げ場所となる縫合糸受け入れ用溝１５が形成されている。図３乃至図６に示す、解除治具プッシャー１７は、プッシャーハンドルに押し出しロッド１８が固定された構成を備え、該ロッド１８を、プッシャーハンドルを操作して、スリーブ１４の筒状本体内で該ロッド１８の先端がスリーブ１４の先端から突出する方向にスライドさせることで、スリーブ１４の筒状本体に嵌合する股関節固定器具１をスリーブ１４の筒状本体の先端の股関節固定器具用嵌合保持部１６から押し出すことができるように構成されている。尚、縫合糸の逃げ場所となる縫合糸受け入れ用溝１５については、１箇所でも複数箇所設けても良い。
【００２０】
図４は、脱臼整復手術時に本発明の股関節固定器具a１の縫合糸孔２，３に寛骨臼２２と大腿骨頭２３を牽引するための縫合糸１９を通し、前記股関節固定器具a１を挿入治具スリーブ１４に嵌合させる前の状態を示す。さらに前記股関節固定器具a１を挿入治具スリーブ１４の固定器具用嵌合保持部１６に嵌合結合させ、結合させた股関節固定器具a１と挿入治具スリーブ１４の、寛骨臼２２の孔に挿入前の状態を図５に示す。図５において、股関節固定器具a１の縫合糸孔２，３を貫通した縫合糸１９は、該孔２，３で折り返され、２本並んだ直線の状態で股関節固定器具a１と挿入治具スリーブ１４の上に導かれ、この股関節固定器具a１と挿入治具スリーブ１４の上に導かれた縫合糸１９は、股関節固定器具a１と挿入治具スリーブ１４の外周面から突出しないように股関節固定器具a１と挿入治具スリーブ１４の各縫合糸受け入れ用溝４，１５に収納配置されている。軸方向に結合した股関節固定器具１及び挿入治具スリーブ１４が、寛骨臼２２の孔を通過するとき、縫合糸１９は縫合糸受け入れ用溝４，１５に収納されているため、該孔の内壁に引っかかることがない。
図６は、本発明の股関節固定器具a１が寛骨臼２２の孔を通過後、プッシャーハンドルを操作して押出ロッド１８を挿入治具スリーブ１４の奥方向に押し込み、挿入治具スリーブ１４から股関節固定器具a１を押出ロッド１８の先端部１８aにて、骨盤腔内に押し出した状態を示す。
【００２１】
図７に本発明の股関節固定器具a１を骨盤腔内に配置することでアンカーとし、寛骨臼２２から大腿骨頭２３を経由させ、大転子２４まで貫通させた孔に前記股関節固定器具a１で折り返した縫合糸１９を通し、前記大転子２４の外側に配置したストッパー２０部で前記縫合糸１９を結紮固定することで、前記寛骨臼２２側へ前記大腿骨頭２３を牽引し、股関節の安定化を行った状態を示す。図中、１９ａは前記股関節固定器具a１で折り返した縫合糸１９の折り返し部を示し、１９ｂはストッパー２０部での縫合糸１９の結紮部を示している。
【産業上の利用可能性】
【００２２】
本発明は、衝突・転倒・転落等による外傷性の股関節脱臼が生じた際に治療として、寛骨臼側に大腿骨頭を牽引する際に適用される。
また、本発明の股関節固定器具が用いられる対象は、主として小動物の治療に適しているが、ヒトの股関節の安定化にも適用可能である。
【符号の説明】
【００２３】
１  股関節固定器具a
２  、３  縫合糸貫通用孔
４  縫合糸受け入れ用溝
５  治具用嵌合部
６  固定器具先端部
８  股関節固定器具b
９  縫合糸貫通用孔
１０  縫合糸受け入れ用溝
１１  治具用嵌合部
１２  固定器具先端部
１４  挿入治具スリーブ
１５  縫合糸受け入れ用溝
１６  固定器具用嵌合保持部
１７  解除治具プッシャー
１８  押出ロッド
１８a  押出ロッド先端部
１９  縫合糸
１９a  縫合糸折返し部
１９b  縫合糸結紮部
２０  ストッパー
２１  腸骨
２２  寛骨臼
２３  大腿骨頭
２４  大転子
２５  股関節固定器具ｃ
【図１】
2015024077.tif 000003
【図２】
2015024077.tif 000004
【図３】
2015024077.tif 000005
【図４】
2015024077.tif 000006
【図５】
2015024077.tif 000007
【図６】
2015024077.tif 000008
【図７】
2015024077.tif 000009
【図８】
2015024077.tif 000010